(57)【要約】【課題】  調律対象の楽器の種類に応じた調律を容易にするとともに、精度の高い調律を行うことを可能にする。【解決手段】  楽器の演奏音のピッチを検出する際に用いるピッチ検出用パラメータが楽器の種類毎に格納された記憶手段と、調律対象の楽器の種類に応じて前記ピッチ検出用パラメータを前記記憶手段から読み出す読み出し手段と、前記楽器の演奏音の音信号が入力される入力手段と、前記演奏音のピッチを前記入力手段へ入力された音信号と、前記読み出し手段により読み出された前記ピッチ検出用パラメータと、に基づいて検出するピッチ検出手段と、前記ピッチ検出手段により検出されたピッチを表すデータを表示装置に表示させる表示制御手段とをを有するチューナを提供する。【選択図】      図１
2006047503.tif 000002
【特許請求の範囲】
【請求項１】
楽器の種類毎に、該楽器の演奏音のピッチを検出する際に用いるピッチ検出用パラメータが格納された記憶手段と、
調律対象の楽器の種類に応じて前記ピッチ検出用パラメータを前記記憶手段から読み出す読み出し手段と、
前記楽器の演奏音の音信号が入力される入力手段と、
前記演奏音のピッチを前記入力手段へ入力された音信号と、前記読み出し手段により読み出された前記ピッチ検出用パラメータと、に基づいて検出するピッチ検出手段と、
前記ピッチ検出手段により検出されたピッチを表すデータを表示装置に表示させる表示制御手段と
を有するチューナ。
【請求項２】
前記ピッチ検出用パラメータには、対応する楽器の音域を表す音域パラメータが含まれており、
前記ピッチ検出手段は、前記音信号から前記音域パラメータの表す音域に含まれる周波数成分を抽出し、その周波数成分に基づいて前記演奏音のピッチを検出する
ことを特徴とする請求項１に記載のチューナ。
【請求項３】
前記ピッチ検出用パラメータには、対応する楽器の音量についての閾値を表す音量パラメータが含まれており、
前記ピッチ検出手段は、前記音信号に対応する音の音量が前記音量パラメータの表す閾値よりも大きい場合に、その音信号に基づいて前記演奏音のピッチを検出する
ことを特徴とする請求項１に記載のチューナ。
【請求項４】
前記ピッチ検出用パラメータには、対応する楽器のブレスノイズを表すブレスノイズパラメータが含まれており、
前記ピッチ検出手段は、前記音信号に対応する音がブレスノイズであるか否かを前記ブレスノイズパラメータに基づいて判定し、ブレスノイズではないと判定した場合に、その音信号に基づいて前記演奏音のピッチを検出する
ことを特徴とする請求項１に記載のチューナ。
【請求項５】
コンピュータ装置を、
楽器の種類毎に該コンピュータ装置に記憶されているピッチ検出用パラメータのうちから、調律対象の楽器の種類に応じたピッチ検出用パラメータを読み出す読み出し手段と、
前記調律対象の楽器の演奏音の音信号が入力された場合に、該音信号と、前記読み出し手段により読み出されたピッチ検出用パラメータと、に基づいて該演奏音のピッチを検出するピッチ検出手段と、
前記ピッチ検出手段により検出されたピッチを表すデータを表示装置に表示させる表示制御手段と
して機能させるプログラム。
【発明の詳細な説明】
【技術分野】
【０００１】
楽器の調律を支援するための技術に関する。
【背景技術】
【０００２】
楽器の調律を支援するための機器として様々なチューナ（以下、「調律器」あるいは「調律装置」ともいう）が提案されており、その一例としては、特許文献１および２に開示されたチューナが挙げられる。例えば、特許文献１には、調律対象の楽器の演奏音の周波数（「ピッチ」ともいう）と、その調律の際に基準となる音である基準音のピッチとの差をメータを用いて表示するとともに、ピアノなどの鍵盤に対応付けられたＬＥＤを用いてその基準音のオクターブ位置を表示する調律器が開示されている。また、特許文献２には、多様な楽器についてその演奏音のピッチを抽出する機能を備え、１台で複数種類の楽器の調律を行うことが可能な調律器が開示されている。
【特許文献１】特開平０９  −２５７５８８号公報
【特許文献２】特開２００１−２０２０８０号公報
【発明の開示】
【発明が解決しようとする課題】
【０００３】
ところで、管楽器や弦楽器のなかには、実際の演奏音（以下、「実音」ともいう）
とは異なった調や音域で楽譜が記譜されるもの（以下、「移調楽器」）がある。このような移調楽器のユーザにとっては、特許文献１に開示された調律器は非常に利用しづらいものである。何故ならば、特許文献１に開示された技術では、その移調楽器の演奏とは全く無関係な上記鍵盤上でのオクターブ位置が表示されるからであり、また、そのオクターブ位置には上記移調は施されていないからである。また、特許文献２に開示された調律器によれば、１台の調律器で複数種の楽器の調律を行うことが可能になるものの、個々の楽器の特性に応じたきめ細やかな調律を行うことができず、精度の高い調律を行うことができない、といった問題点がある。
【０００４】
本発明は、上記課題に鑑みて為されたものであり、調律対象の楽器の種類に応じた調律を容易にするとともに、精度の高い調律を行うことを可能にする技術を提供することを目的としている。
【課題を解決するための手段】
【０００５】
上記課題を解決するために、本発明は、楽器の種類毎に、該楽器の演奏音のピッチを検出する際に用いるピッチ検出用パラメータが格納された記憶手段と、調律対象の楽器の種類に応じて前記ピッチ検出用パラメータを前記記憶手段から読み出す読み出し手段と、前記楽器の演奏音の音信号が入力される入力手段と、前記演奏音のピッチを前記入力手段へ入力された音信号と、前記読み出し手段により読み出された前記ピッチ検出用パラメータと、に基づいて検出するピッチ検出手段と、前記ピッチ検出手段により検出されたピッチを表すデータを表示装置に表示させる表示制御手段とを有するチューナを提供する。
【０００６】
また、上記課題を解決するために、本発明は、コンピュータ装置を、コンピュータ装置を、楽器の種類毎に該コンピュータ装置に記憶されているピッチ検出用パラメータのうちから、調律対象の楽器の種類に応じたピッチ検出用パラメータを読み出す読み出し手段と、前記調律対象の楽器の演奏音の音信号が入力された場合に、該音信号と、前記読み出し手段により読み出されたピッチ検出用パラメータと、に基づいて該演奏音のピッチを検出するピッチ検出手段と、前記ピッチ検出手段により検出されたピッチを表すデータを表示装置に表示させる表示制御手段として機能させるプログラムを提供する。なお、本発明の別の態様にあっては、コンピュータ装置読取可能な記録媒体に上記プログラムを記録して提供するとしても良い。
【０００７】
このようなチューナおよびプログラムによれば、調律対象の楽器の演奏音のピッチが予めその楽器について定められたピッチ検出用パラメータに基づいて検出される。
【０００８】
より好ましい態様においては、前記ピッチ検出用パラメータには、対応する楽器の音域を表す音域パラメータが含まれており、前記ピッチ検出手段は、前記音信号から前記音域パラメータの表す音域に含まれる周波数成分を抽出し、その周波数成分に基づいて前記演奏音のピッチを検出することを特徴とする。このような態様にあっては、調律対象の楽器の演奏音からその楽器の音域に対応する周波数成分が抽出され、その周波数成分に基づいてその演奏音のピッチが検出される。
【０００９】
また、別の好ましい態様においては、前記ピッチ検出用パラメータには、対応する楽器の音量についての閾値を表す音量パラメータが含まれており、前記ピッチ検出手段は、前記音信号に対応する音の音量が前記音量パラメータの表す閾値よりも大きい場合に、その音信号に基づいて前記演奏音のピッチを検出することを特徴とする。このような態様にあっては、調律対象の楽器についてその音量範囲として予め定められた閾値以上の音量で奏でられた演奏音についてのみ、その演奏音のピッチが検出される。
【００１０】
また、別の好ましい態様においては、前記ピッチ検出用パラメータには、対応する楽器のブレスノイズを表すブレスノイズパラメータが含まれており、前記ピッチ検出手段は、前記音信号に対応する音がブレスノイズであるか否かを前記ブレスノイズパラメータに基づいて判定し、ブレスノイズではないと判定した場合に、その音信号に基づいて前記演奏音のピッチを検出することを特徴とする。このような態様にあっては、調律対象の楽器の演奏音のうち、そのブレスノイズ以外の部分に基づいて、その演奏音のピッチが検出される。
【発明の効果】
【００１１】
本発明によれば、調律対象の楽器の種類に応じた調律を行うことが可能になるとともに、精度の高い調律を行うことが可能になる、といった効果を奏する。
【発明を実施するための最良の形態】
【００１２】
以下、本発明を実施する際の最良の形態について図面を参照しつつ説明する。
［Ａ：第１実施形態］
（Ａ−１：構成）
図１は、本発明の第１実施形態に係るチューナ１０の構成例を示す図である。図１に示すように、このチューナ１０は、記憶手段１００と、設定手段１１０と、入力手段１２０と、ピッチ検出手段１３０と、対象音特定手段１４０と、算出手段１５０と、表示制御手段１６０と、を有している。そして、入力手段１２０には、調律対象の楽器の演奏音を集音するためのマイクロホン２０が接続されており、表示制御手段１６０には、液晶ディスプレイ装置などの表示装置３０が接続されている。
【００１３】
図１の記憶手段１００は、例えばハードディスクであり、楽器の種類を表す楽器識別子（例えば、楽器の種類を表す文字列など）に対応づけて、その楽器識別子の表す楽器についての移調パラメータ、ピッチ検出用パラメータおよび楽譜パラメータが格納されている。ここで、移調パラメータとは、その移調パラメータが対応付けられた楽器のキーやオクターブシフトを表すパラメータである。また、ピッチ検出用パラメータとは、そのピッチ検出用パラメータが対応付けられた楽器の演奏音のピッチをピッチ検出手段１３０によって検出する際に利用するパラメータである。そして、楽譜パラメータとは、その楽譜パラメータが対応付けられた楽器用に慣用的に利用されている楽譜を表すパラメータであり、本実施形態では、その楽譜に記譜される音部記号（ト音記号やヘ音記号など）を表すパラメータである。
【００１４】
図１の設定手段１１０は、チューナ１０を利用するための各種パラメータ（上記移調パラメータやピッチ検出用パラメータ、楽譜パラメータなど）をユーザに簡便に設定させるためのものである。より詳細に説明すると、設定手段１１０は、後述する表示制御手段１６０によって図２に示すＧＵＩ（Graphical User Interface）画面を表示装置３０に表示させる。図２に示すＧＵＩ画面を視認したユーザは、チューナ１０に設けられたテンキーやマウスなどの操作部（図示省略）を適宜操作し、図２のプルダウンメニュ２００にて調律対象の楽器の楽器識別子を選択することや、その楽器を調律する際に基準となる基準音のピッチ（以下、基準ピッチ）を表す数字文字列を図２の領域２３０へ入力することができる。
【００１５】
上記楽器識別子の選択や基準ピッチの入力が為されると、設定手段１１０は、その楽器識別子に対応付けて記憶手段１００に格納されている移調パラメータ、楽譜パラメータおよびピッチ検出用パラメータや上記基準ピッチをチューナ１０の各部へ設定する。具体的には、設定手段１１０は、記憶手段１００から読み出したピッチ検出用パラメータをピッチ検出手段１３０へ設定するとともに、記憶手段１００から読み出した移調パラメータや楽譜パラメータを表示制御手段１６０へ設定する。また、設定手段１１０は、上記ＧＵＩ画面を介して入力された基準ピッチを表す基準ピッチデータを対象音特定手段１４０と算出手段１５０へ設定する。このように、本実施形態においては、設定手段１１０は、チューナ１０を利用するためのユーザインタフェイスを提供するユーザインタフェイス提供手段と、そのユーザインタフェイスを介して入力された楽器の種類に応じた各種パラメータを記憶手段１００から読み出す読み出し手段として機能する。
【００１６】
入力手段１２０は、例えば入力端子であり、マイクロホン２０に接続されている。この入力手段１２０は、マイクロホン２０によって集音された演奏音の音信号がそのマイクロホン２０から供給されると、その音信号をピッチ検出手段１３０へ引渡す。
【００１７】
ピッチ検出手段１３０は、入力手段１２０から引渡された音信号に対して、所定のピッチ検出アルゴリズムにしたがったピッチ検出処理を施し、その音信号のピッチ（すなわち、上記演奏音のピッチ）を検出して、そのピッチを表すデータ（以下、「ピッチデータ」という）を対象音特定手段１４０と算出手段１５０へ引渡すものである。以下、図３を参照しつつピッチ検出手段１３０の構成について説明する。
【００１８】
図３は、ピッチ検出手段１３０の構成例を示すブロック図である。図３に示すように、ピッチ検出手段１３０は、バッファ入力部１３１と、ピッチ検出前処理部１３２と、振幅エンベロープ検出部１３３と、ブレスノイズ検出前処理部１３４と、ブレスノイズ検出部１３５と、ピッチ有無判定部１３６と、ピッチ検出部１３７と、を含んでいる。
【００１９】
バッファ入力部１３１は、入力手段１２０から引渡された音信号を一定サンプリング間隔（以下、「バッファ長」）でサンプリングし、そのサンプリング結果をピッチ検出前処理部１３２、振幅エンベロープ検出部１３３およびブレスノイズ検出前処理部１３４へ引渡すものである。なお、上記バッファ長は、前述したピッチ検出用パラメータに含まれており、設定手段１１０によってバッファ入力部１３１へ設定される。本実施形態においては、このバッファ長として、調律対象に楽器で演奏可能な最低音のｎ周期分の値（ただし、ｎはピッチを検出可能な最低限の周期数）が設定されている。
【００２０】
図３のピッチ検出前処理部１３２は、帯域制限用フィルタ（Band Path Filter：以下、「ＢＰＦ」）１３２ａと、高次倍音を削除するためのフィルタとして機能するＬＰＦ（Low Path Filter）１３２ｂとを含んでいる。ＢＰＦ１３２ａは、入力された音信号から所定の周波数範囲の成分のみを取り出してＬＰＦ１３２ｂへ引渡すものである。本実施形態では、上記周波数範囲を表すパラメータとして各楽器の最低音および最高音の周波数を表す音域パラメータが前述したピッチ検出用パラメータに含まれており、この音域パラメータの表す周波数範囲が設定手段１１０によってＢＰＦ１３２ａへ設定される。このような周波数範囲をＢＰＦ１３２ａに設定することによって、バッファ入力部１３１から引渡された音信号からピッチ検出に不要なノイズがカットされ、ピッチ検出の信頼度を向上させることが可能になる。一方、ＬＰＦ１３２ｂは、所定のカットオフ周波数よりも高い周波数成分を除去して出力するものであり、ＢＰＦ１３２ａから引渡された音信号からその高次倍音成分をカットしてピッチ検出部１３７へ引渡すものである。なお、このＬＰＦ１３２ｂの利用の可否を表すパラメータや上記カットオフ周波数も上記ピッチ検出用パラメータに含まれており、設定手段１１０によってＬＰＦ１３２ｂへ設定される。
【００２１】
図３の振幅エンベロープ検出部１３３は、バッファ入力部１３１から引渡された音信号の振幅の包絡線（以下、「振幅エンベロープ」ともいう）を検出し、その振幅エンベロープを表わすデータをピッチ有無判定部１３６へ引渡すものである。
【００２２】
図３のブレスノイズ検出前処理部１３４は、例えばＨＰＦ（High Path Filter）
であり、バッファ入力部１３１から引渡された音信号から所定のカットオフ周波数よりも低い周波数成分をカットしてブレスノイズ検出部１３５へ引渡すものである。一方、ブレスノイズ検出部１３５は、ブレスノイズ検出前処理部１３４から引渡された音信号について、その音信号がブレスノイズを表しているか否かを判定し、ブレスノイズであると判定した場合に、その音信号に基づいてピッチの検出を行わないことを指示する旨の制御信号をピッチ有無判定部１３６へ供給するものである。具体的には、ブレスノイズ検出部１３５は、入力された音信号のゼロクロス回数が所定の閾値よりも大きい場合に、その音信号はブレスノイズを表していると判定し、上記制御信号をピッチ有無判定部１３６へ供給する。ここで、ブレスノイズ検出処理を行うか否かを表すデータや、上記所定のカットオフ周波数、および、上記ゼロクロス回数の閾値などは、ブレスノイズを表すパラメータ（以下、ブレスノイズパラメータ）として上記ピッチ検出用パラメータに含まれており、設定手段１１０によってブレスノイズ検出前処理部１３４やブレスノイズ検出部１３５に設定される。このようにブレスノイズの検出を行う理由は、管楽器などではそのアタックの部分などで、ブレスノイズによってピッチが誤検出されることがあり、このような誤検出の発生を回避するためである。
【００２３】
図３のピッチ有無判定部１３６は、ブレスノイズ検出部１３５から供給された制御信号と、振幅エンベロープ検出部１３３の検出結果とに基づいて、ピッチの有無を判定するものである。具体的には、ピッチ有無判定部１３６は、ピッチの検出を行わないことを指示する旨の制御信号がブレスノイズ検出部１３５から供給された場合、または、振幅エンベロープ検出部１３３により検出された振幅エンベロープのレベルが所定の閾値よりも小さい場合に、ピッチ無しと判定し、その旨を示す制御信号をピッチ検出部１３７へ供給する一方、その他の場合にはピッチ有りと判定しその旨を示す制御信号をピッチ検出部１３７へ供給する。なお、本実施形態においては、上記所定の閾値は調律対象の楽器の音量を表す音量パラメータとして上記ピッチ検出用パラメータに含まれており、設定手段１１０によってピッチ有無判定部１３６に設定される。
【００２４】
そして、図３のピッチ検出部１３７は、ピッチが有ることを表わす制御信号がピッチ有無判定部１３６より供給された場合に、ピッチ検出前処理部１３２から引渡された信号波形に対して所定のアルゴリズムにしたがったピッチ検出処理を施し、そのピッチを検出するものである。
【００２５】
前述したように、本実施形態においては、各楽器の種類毎にその楽器についてピッチ検出を行う際に好適なピッチ検出用パラメータが記憶手段１００に格納されている。チューナ１０においては、調律対象の楽器としてユーザが選択した楽器の種類に対応したピッチ検出用パラメータが設定手段１１０によってピッチ検出手段１３０の各部に設定されるのであるから、調律対象の楽器の種類に応じて好適な態様でピッチ検出を行うことが可能になり、その演奏音のピッチを精度良く検出することが可能になる。そして、ピッチ検出手段１３０によってピッチの検出が行われると、そのピッチを表すピッチデータが対象音特定手段１４０と算出手段１５０へ引渡される。
【００２６】
図１に戻って、対象音特定手段１４０は、設定手段１１０によって設定された基準ピッチと、ピッチ検出手段１３０から引渡されたピッチデータとに基づいて、所定の音律（例えば、１２等分平均律）においてその演奏音の最寄に位置する音（以下、「対象音」という）を特定し、その対象音を表すデータ（以下、対象音データ）を算出手段１５０と表示制御手段１６０へ引渡すものである。以下では、上記対象音データが、その対象音の音名を表す文字列データである場合について説明するが、その対象音のピッチを表すデータであっても良いことは勿論である。
【００２７】
算出手段１５０は、対象音特定手段１４０により特定された対象音と上記ピッチ検出手段１３０により検出されたピッチとの差を算出し、その差を表すデータ（以下、「ピッチ差データ」）を表示制御手段１６０へ引渡すものである。より詳細に説明すると、算出手段１５０は、対象音特定手段１４０から引渡された対象音データの表す音名の音のピッチを０セントとした場合の上記ピッチデータの表すピッチのセント値を算出し、そのセント値を表すデータを上記ピッチ差データとして表示制御手段１６０へ引渡す。なお、上記対象音データが、その対象音のピッチを表すデータである場合には、その対象音データの表すピッチと上記ピッチデータの表すピッチとの差を直接求めても良いことは勿論である。
【００２８】
表示制御手段１６０は、演奏音と対象音とのピッチの差、その対象音の音名およびオクターブ位置を表示するように表示装置３０を制御するものである。より詳細に説明すると、表示制御手段１６０は、以下に述べる３種類の制御信号を表示装置３０へ供給することによって、その表示装置３０の表示内容を制御する。表示制御手段１６０が表示装置３０へ供給する第１の制御信号は、算出手段１５０から引渡されたピッチ差データの表す値を図２の領域２５０へ仮想メータ形式で表示することを指示する旨の制御信号である。また、表示制御手段１６０は、対象音特定手段１４０から引渡された対象音データの表す対象音の音名を前述した移調パラメータにしたがってその対象音の記譜音での音名（以下、記譜音名）に変換する。係る変換を行った後、表示制御手段１６０は、その記譜音名を図２の領域２４０へ表示することを指示する旨の第２の制御信号を表示装置３０へ供給する。そして、表示制御手段１６０が表示装置３０へ供給する第３の制御信号は、上記楽譜パラメータの表す音部記号が記譜された五線譜に上記記譜音名に対応したオクターブ位置に音符を記譜して図２の領域２６０へ表示することを指示する旨の制御信号である。なお、本実施形態では、上記各制御信号を表示制御手段１６０から表示装置３０へ供給することによってその表示装置３０を制御する場合について説明したが、表示装置３０に表示させる画像に対応した画像データを表示制御手段１６０に生成させ、その画像データを表示装置３０へ供給させることによって、その表示装置３０の表示内容を制御させるとしても良いことは勿論である。
【００２９】
（Ａ−２：動作）
次いで、チューナ１０が行う動作のうち、その特徴を顕著に示す動作について図面を参照しつつ説明する。以下に説明する動作例では、調律対象の楽器がバスクラリネットである場合について説明する。また、以下に説明する動作例では、バスクラリネットを表わす楽器識別子に対応付けて記憶手段１００に格納されている移調パラメータには、そのバスクラリネットのキーが“ｉｎ  Ｂ♭”であることを表す第１のパラメータと、そのオクターブシフトが“＋１”であることを表す第２のパラメータとが含まれているものとする。また、上記楽器識別子に対応付けて記憶手段１００に格納されている楽譜パラメータの表す音部記号は“ト音記号”である、とする。
【００３０】
（パラメータ設定動作）
まず、バスクラリネットの調律に好適な各種パラメータをチューナ１０の各手段に設定するパラメータ設定動作について図４を参照しつつ説明する。図４は、チューナ１０が行うパラメータ設定動作の流れを示すフローチャートである。図２に示すＧＵＩ画面を視認したユーザは、まず、チューナ１０の操作部（図示省略）を適宜操作して、基準ピッチを表す数字文字列（本実施形態では“４４０”）を領域２３０へ入力するとともに、プルダウンメニュ２００を適宜操作し調律対象の楽器であるバスクラリネットの楽器識別子を選択する。
【００３１】
上述の如き操作が為されると、設定手段１１０は、上記基準ピッチを表わす基準ピッチデータを図２に示すＧＵＩ画面を介して取得するとともに、このＧＵＩ画面にて選択された楽器識別子に対応する移調パラメータ、ピッチ検出用パラメータおよび楽譜パラメータを記憶手段１００から読み出し取得する（ステップＳＡ１）。本動作例では、設定手段１１０は、上記領域２３０へ入力された数字文字列の表す数値（すなわち、４４０）を基準ピッチデータとして取得する一方、プルダウンメニュ２００にて選択された楽器識別子（すなわち、バスクラリネット）に対応付けて記憶手段１００に格納されている移調パラメータ、ピッチ検出用パラメータおよび楽譜パラメータを読み出し取得する。
【００３２】
次いで、設定手段１１０は、上記ステップＳＡ１にて取得した各種パラメータをチューナ１０の各手段へ引渡し、それらパラメータを設定する（ステップＳＡ２）。具体的には、設定手段１１０は、上記ステップＳＡ１にて取得した基準ピッチデータを対象音特定手段１４０と算出手段１５０とへ設定し、上記ステップＳＡ１にて取得したピッチ検出用パラメータをピッチ検出手段１３０の各部へ設定する。さらに、設定手段１１０は、上記ステップＳＡ１にて取得した移調パラメータと楽譜パラメータとを表示制御手段１６０へ設定する。
【００３３】
上記移調パラメータと楽譜パラメータとを設定された表示制御手段１６０は、これらパラメータの内容に応じたＧＵＩ画面が表示されるように表示装置３０を制御する（ステップＳＡ３）。具体的には、表示制御手段１６０は、図２の領域２１０へ上記移調パラメータの表すキー（すなわち、“ｉｎ  Ｂ♭”）を表示することを指示する旨の制御信号を表示装置３０へ供給するとともに、図２の領域２２０へ上記移調パラメータの表すオクターブシフト（すなわち、“＋１”）を表示することを指示する旨の制御信号を表示装置３０へ供給する。加えて、表示制御手段１６０は、上記楽譜パラメータの表わす音部記号（すなわち、“ト音記号”）が記譜された五線譜を図２の領域２６０へ表示することを指示する旨の制御信号を表示装置３０へ供給する。その結果、表示装置３０には図５に示すＧＵＩ画面が表示されることになる。以降、チューナ１０は、入力手段１２０を介して演奏音の音信号が入力されてくることを待ち受け、係る音信号が入力されると、以下に説明する調律支援動作を行う。なお、以下では、ユーザがバスククラリネットで実音での音名が“Ｃ３”である音を吹奏し、その調律を行う場合について説明する。
【００３４】
（調律支援動作）
図６は、チューナ１０が行う調律支援動作の流れを示すフローチャートである。図６に示されているように、チューナ１０は、演奏音の音信号が入力手段１２０へ入力される（ステップＳＢ１）と、ピッチ検出手段１３０によってその音信号のピッチを検出する（ステップＳＢ２）。次いで、チューナ１０は、ステップＳＢ２にて検出したピッチと、上記パラメータ設定動作にて設定した基準ピッチデータの表わす基準ピッチとに基づいて、所定の音律において上記演奏音の最寄に位置する音である対象音を対象音特定手段１４０により特定する（ステップＳＢ３）。本実施形態では、上述の如き演奏音に対応する音信号が入力されてくるのであるから、実音での音名が“Ｃ３”である音が上記対象音として特定される。この対象音特定手段１４０は、特定した対象音を表わす対象音データ（本実施形態では、その対象音の実音での音名を表す文字列）を算出手段１５０と表示制御手段１６０へ引渡す。
【００３５】
次いで、チューナ１０は、上記ステップＳＢ３にて特定した対象音と上記演奏音とのピッチの差を算出手段１５０により算出する（ステップＳＢ４）。そして、チューナ１０は、算出手段１５０により算出されたピッチ差、対象音特定手段１４０により特定された対象音の音名およびそのオクターブ位置を表す音符を、表示制御手段１６０によって表示装置３０に表示させる（ステップＳＢ５）。具体的には、表示制御手段１６０は、表示制御手段１６０は、図５の領域２５０に表示されている仮想メータの針を算出手段１５０から引渡されたピッチ差データの表す値に応じた位置に描画し直すことを指示する旨の制御信号を表示装置３０へ供給する。また、表示制御手段１６０は、上記対象音データの表わす音名（すなわち、“Ｃ３”）を上記移調パラメータにしたがってその記譜音での音名に変換し、その記譜音での音名を表す文字列を図５の領域２４０へ表示することを指示する旨の制御信号を表示装置３０へ供給する。本動作例では、上記対象音の音名は、“Ｃ３”であり、上記移調パラメータの表すキーおよびオクターブシフトは、夫々“ｉｎ  Ｂ♭”および“＋１”であるから、上記対象音の記譜音での音名は“Ｄ４”であり、図５の領域２４０には文字列“Ｄ４”が表示される。そして、表示制御手段１６０は、図５の領域２６０に表示されている五線譜に上記記譜音での音名（すなわち、“Ｄ４”）に対応する音符を書き込で描画し直すことを指示する旨の制御信号を表示装置３０へ供給する。
【００３６】
その結果、表示装置３０には図７に示すＧＵＩ画面が表示されることになる。ここで注目すべき点は、対象音と演奏音とのピッチ差が領域２５０にメータ表示されることに加えて、その対象音の記譜音での音名が領域２４０に表示されている点と、その記譜音に対応する音符が領域２６０の五線譜に記譜されて表示されている点とである。バスクラリネットは、その音域が低いために、ト音記号で１オクターブ高く記譜されたｉｎ  Ｂ♭の移調楽譜が用いられることが一般的であり、この種の移調楽譜においては、実音での音名がＣ３である音は、Ｄ４と記譜されている。このため、キーの変換を行わずに演奏音の音名やそのオクターブ位置を表示したり、オクターブ位置の変換を行わず演奏音の音名やそのオクターブ位置を表示してしまうと、上述の如き移調楽譜を見慣れたユーザにとっては、普段の利用している楽譜とは異なる音名で対象音が表示されたり（図８参照）、異なるオクターブ位置に音符が表示されたりする（図９参照）ため、無用な混乱を招いてしまい、調律作業を円滑に進めることができなくなってしまう。
【００３７】
これに対して、本実施形態に係るチューナ１０によれば、図７に示すように、調律対象の楽器の種類に応じた移調やその楽器について慣用的に使用されている楽譜を用いて演奏音の音名やそのオクターブ位置が表示されるため、ユーザに無用な混乱を生じさせることなく調律作業を円滑に行わせることが可能になるといった効果を奏する。また、本実施形態に係るチューナ１０によれば、調律対象の楽器の種類に応じたピッチ検出用パラメータに基づいて、その楽器の演奏音のピッチが検出されるため、その検出精度を向上させ、精度の高い調律を行うことが可能になるといった効果も奏する。
【００３８】
［Ｂ：第２実施形態］
次いで、本発明の第２実施形態に係るチューナ４０について説明する。
（Ｂ−１：構成）
図１０は、本発明の第２実施形態に係るチューナ４０の構成例を示すブロック図である。図１０に示すチューナ４０の構成が前述したチューナ１０の構成（図１参照）と異なっている点は、調律を行うべき対象音の音名を表わす対象音データが予め記憶手段１００に記憶されている点と、対象音特定手段１４０に代えて判定手段１７０を設けた点とである。
【００３９】
この判定手段１７０は、演奏音についてピッチ検出手段１３０により検出されたピッチと上記対象音のピッチとの差が所定の範囲内（例えば、−５セント〜＋５セント）の値である場合に、上記表示制御手段１６０を作動させて、両者の差および対象音の音名やそのオクターブ位置を表示装置３０に表示させるものである。なお、本実施形態では、所定の対象音データが予め記憶手段１００に格納されている場合について説明するが、係る対象音データをユーザに入力させてその対象音をユーザに指定させるとしても勿論良い。具体的には、図２に示すＧＵＩ画面に、上記対象音データをユーザに入力させるための領域を新たに設け、その領域に入力された対象音データを設定手段１１０によって記憶手段１００へ書き込むようにすれば良い。また、チューナ４０に、上記対象音を出力する音出力手段を設けておくとしても良い。このようにすると、演奏音と対象音とのピッチ差を聴感でユーザに把握させることが可能になる。
【００４０】
（Ｂ−２：動作）
次いで、チューナ４０が行う動作のうち、その特徴を顕著に示す動作についてのみ説明する。なお、以下に説明する動作例では、対象音データとして文字列“Ｃ３”が予め記憶手段１００に格納されているものとする。また、以下では、上述した第１実施形態と同様に、バスクラリネットの調律を行う場合について説明するが、チューナ４０についてのパラメータ設定動作については、チューナ１０が行うパラメータ設定動作となんら変わるところがないため、説明を省略する。
【００４１】
図１１は、チューナ４０が行う調律支援動作の流れを示すフローチャートである。図１１に示す調律支援動作が図６に示す調律支援動作と異なっている点は、以下の２つの点である。第１に、前述したステップＳＢ３の処理（対象音名特定処理）を行わない点である。これは、チューナ４０の記憶手段１００には予め対象音データが格納されている（すなわち、対象音が予め定められている）からである。第２に、図１１のステップＳＢ４にて算出したピッチ差が所定の範囲内の値であるか否かを判定するステップＳＣ１を設け、その判定結果が肯定的である場合にのみ、前述したステップＳＢ５の処理を行うようにした点である。
【００４２】
このため、本実施形態に係るチューナ４０によれば、演奏音のピッチと上記予め指定された対象音のピッチとの差が所定の範囲内（例えば、−５セント〜＋５セント）の値である場合にのみ、図７に示すＧＵＩ画面の領域２５０が表示装置３０に駆動されることになる。
【００４３】
このように、本実施形態に係るチューナ４０によっても、ユーザに無用な混乱を生じさせることなく調律作業を円滑に行わせることが可能である。加えて、上述したように、ユーザに対象音を指定させるようにすれば、調律対象の音を指定して調律作業を行うことも可能になる。
【００４４】
［Ｃ：第３実施形態］
次いで、本発明の第３実施形態に係るチューナ５０について説明する。
（Ｃ−１：構成）
図１２は本発明の第３実施形態に係るチューナ５０の構成例を示すブロック図である。図１２に示すチューナ５０の構成が前述したチューナ１０の構成（図１参照）と異なっている点は、記憶手段１００に所定のピッチの音を表す根音データが格納されている点と、音程関係特定手段１８０を新たに設けた点と、表示制御手段１６０に代えて表示制御手段１９０を設けた点とである。なお、本実施形態では、上記根音データが予め記憶手段１００に格納されている場合について説明するが、係る根音データをユーザに入力させてその根音をユーザに指定させるとしても勿論良い。具体的には、図２に示すＧＵＩ画面に、上記根音データをユーザに入力させるための領域を新たに設け、その領域に入力された根音データを設定手段１１０によって記憶手段１００へ書き込むようにすれば良い。
【００４５】
図１２の音程関係特定手段１８０は、対象音特定手段１４０によって特定された対象音と上記根音データの表す音との音程関係を特定するものである。そして、チューナ５０においては、音程関係特定手段１８０により特定された音程関係が所定の音程関係（例えば、短３度、長３度、完全４度または完全５度などのハーモニー関係）である場合に、算出手段１５０および表示制御手段１９０が駆動される。なお、以下では、上記所定の音程関係を表すデータが予め記憶手段１００に記憶されている場合について説明するが、係るデータをユーザに設定させて上記所定の音程関係をユーザに設定させるようにしても勿論良い。また、本実施形態では、上記根音と上記対象音とが所定の音程関係にある場合にのみ、算出手段１５０および表示制御手段１９０を駆動させる場合について説明するが、上記根音と上記対象音との音程関係が上記所定の音程関係であるか否かを問わずに、算出手段１５０および表示制御手段１９０を駆動するとしても良いことは勿論である。
【００４６】
図１２の表示制御手段１９０は、図１３に示すＧＵＩ画面を表示装置３０に表示させ、上記対象音に対応する平均律音程のピッチを０セントとした場合の上記対象音のピッチ位置、算出手段１５０によって算出された演奏音と対象音とのピッチ差、音程関係特定手段１８０により特定された音程関係を表す文字列および、上記根音および上記対象音のオクターブ位置を表示装置３０に表示させるものである。より詳細に説明すると、表示制御手段１９０は、以下に述べる４種類の制御信号を表示装置３０へ供給しその表示内容を制御するものである。
【００４７】
表示制御手段１９０が表示装置３０へ供給する第１の制御信号は、図１３の領域２５０に表示されている仮想メータに、上記対象音に対応する平均律音程のピッチを０セントとした場合の上記対象音のピッチ位置に所定のマークを描画するとともに、その仮想メータの針を上記演奏音と対象音とのピッチ差に応じた位置に描画し直すことを指示する旨の制御信号である。
【００４８】
表示制御手段１９０が表示装置３０へ供給する第２の制御信号は、音程関係特定手段１８０により特定された音程関係を表す文字列を図１３の領域２７０へ表示することを指示する旨の制御信号である。表示制御手段１９０が表示装置３０へ供給する第３の制御信号は、上記根音の記譜音での音名を図１３の領域２４０ｂへ表示することと、上記対象音の記譜音での音名を図１３の領域２４０ａへ表示することとを指示する旨の制御信号である。そして、表示制御手段１９０が表示装置３０へ供給する第４の制御信号は、上記根音の記譜音での音名に対応した音符と上記対象音の記譜音での音名に対応した音符とを図１３の領域２６０に表示されている五線譜へ描画することを指示する旨の制御信号である。
【００４９】
以上に説明したような構成としたため、本実施形態に係るチューナ５０によれば、ユーザは上記根音データの表す根音と所定の音程関係にある音（すなわち、上記根音と所定のハーモニーを奏でる音）を対象音として調律を行うことが可能になる。また、チューナ５０に上記根音を出力する音出力手段を設けておけば、その根音との音程関係を聴感で把握しつつ演奏練習を行うこと、すなわち、ハーモニー練習を行うことも可能である。なお、本実施形態では、上記根音と上記対象音とが所定の音程関係にある場合に、その対象音のピッチ位置に所定のマークを表示させることによってそのピッチ位置を報知する場合について説明したが、上記ピッチ位置に予め配置されたインジケータを点灯させることによって、そのピッチ位置を報知させるとしても勿論良い。また、図１４に示すように、各音程関係毎に固有のインジケータが配置されたＧＵＩ画面を表示装置３０に表示させ、上記根音と対象音との音程関係に該当するインジケータのみを点灯させるようにしても勿論良い。例えば、図１４に示すＧＵＩ画面においては、上記根音と対象音とが完全５度の音程関係にある場合には、インジケータ２７０ｄが点灯される。また、演奏音のピッチが上記対象音のピッチを中心とする所定の範囲（例えば、上記対象音のピッチを中心として―５セントから＋５セントの範囲）に入った場合に、その旨を報知する報知手段（例えば、演奏音のピッチが上記範囲に入った場合に点灯するＬＥＤなど）を設けても勿論良い。
【００５０】
（Ｃ−２：動作）
次いで、本実施形態に係るチューナ５０が行う動作のうち、その特徴を顕著に示す動作について図面を参照しつつ説明する。なお、以下に説明する動作例では、フルートを用いてハーモニー練習を行う場合について説明する。また、フルートの楽器識別子に対応付けて記憶手段１００に格納されている移調パラメータは、キーが“ｉｎ  Ｃ”でありオクターブシフトが“０”であることを示しており、その楽器識別子に対応付けて記憶手段１００に格納されている楽譜パラメータの表す音部記号は“ト音記号”であるものとする。さらに、記憶手段１００には、実音での音名が“Ｃ４”である音を表すデータが上記根音データとして格納されているものとする。
【００５１】
チューナ５０についてのパラメータ設定動作については、移調パラメータや楽譜パラメータの値が異なっている点を除いて、そのパラメータ設定動作の流れはチューナ１０が行うパラメータ設定動作となんら変わるところがないため、説明を省略する。以下では、チューナ５０が行うハーモニー練習支援動作について説明する。図１５は、チューナ５０が行うハーモニー練習支援動作の流れを示すフローチャートである。図１５に示すフローチャートが図６に示すフローチャートと異なっている点は、ステップＳＢ３にて対象音の特定を行った後に、その対象音と上記根音データの表す音との音程関係を音程関係特定手段１８０によって特定し、その音程関係が所定の音程関係であるか否かを判定し（ステップＳＤ１）、その判定結果が肯定的である場合に、ステップＳＢ４以降の処理を行う点である。そして、図１５のステップＳＢ５においては、表示制御手段１９０は、上述した４つの制御信号を表示装置３０へ供給しその表示制御を行う。
【００５２】
例えば、演奏音が“Ｅ４”である場合には、この演奏音は上記根音（“Ｃ４”）に対して“長３度”の音程関係（後者のピッチを０セントとした場合に、前者のピッチが−１３．７セントである音程関係：“Ｍａｊｏｒ  ３ｒｄ”ともいう）にあるため、表示装置３０には、図１６に示すＧＵＩ画面が表示される。図３の領域２５０においては、上記対象音に対応する平均律音程のピッチを０セントとした場合の上記対象音のピッチ位置（すなわち、−１３．７セントの位置）に所定のマーク２５０ｍが表示されている。また、演奏音が“Ｅ♭４”である場合には、この演奏音は上記根音に対して、“短３度”の音程関係（後者のピッチを０セントとした場合に、前者のピッチが＋１５．６セントである音程関係：“Ｍａｉｎｏｒ  ３ｒｄ”ともいう）にあるため、表示装置３０には、図１７に示すＧＵＩ画面が表示される。また、演奏音が“Ｆ４”である場合には、この演奏音は上記根音に対して“完全４度”の音程関係（後者のピッチを０セントとした場合に、前者のピッチが−１．９５セントである音程関係：“Ｐｅｒｆｅｃｔ  ４ｔｈ”ともいう）にあるため、表示装置３０には、図１８に示すＧＵＩ画面が表示される。そして、演奏音が“Ｇ４”である場合には、この演奏音は上記根音に対して“完全５度”の音程関係（後者のピッチを０セントとした場合に、前者のピッチが＋１．９５セントである音程関係：“Ｐｅｒｆｅｃｔ  ５ｔｈ”ともいう）にあるため、表示装置３０には、図１９に示すＧＵＩ画面が表示される。
【００５３】
このように、本実施形態に係るチューナ５０によれば、上記所定の根音に対して対象音が所定の音程関係にある場合にのみ、演奏音と対象音とのピッチ差がメータ表示されるとともに、上記音程関係を表す文字列と、上記対象音に対応する平均律音程のピッチ位置と、両者の記譜音での音名およびオクターブ位置とが表示される。これにより、ユーザは、演奏音と対象音とのピッチ差を視覚で把握するとともに、その演奏音と根音とのハーモニー関係を視覚で把握することが可能になる。前述したように、ハーモニー練習用の従来のチューナにおいては、所定の根音に対してハーモニー関係にある音のピッチ位置が全て表示されるため、その表示内容が煩雑になり（図２０参照）、各ユーザがどのピッチ位置の音を演奏すれば良いかを把握しづらいといった問題点があった。これに対して、本実施形態に係るチューナ５０によれば、演奏音と根音とが所定の音程関係（例えば、完全４度など）にある場合には、その音程関係に対応したピッチ位置のみが表示されるため、上記煩雑さを解消しハーモニー練習が容易になるといった効果を奏する。
【００５４】
［Ｄ：変形］
以上、本発明の各実施形態について説明したが、以下に説明するような変形を加えても良いことは勿論である。
（Ｄ−１：変形例１）
上述した各実施形態では、調律対象の楽器を表す楽器識別子をプルダウンメニュにて選択させることによって、その楽器のキーやオクターブシフトなどを表す移調パラメータを設定させる場合について説明した。このようにすることによって、各楽器に適した移調パラメータを簡便に設定することが可能になるといった効果を奏する。しかしながら、係るパラメータを各々個別にユーザに入力させるようにしても良いことは勿論であり、また、上記の如くプルダウンメニュにて設定された各パラメータをユーザの所望に応じて各々書換える書換え手段を設けるとしても勿論良い。さらに、ユーザによって選択された楽器の種類に応じて記憶手段１００から読み出された移調パラメータを保持する保持手段（例えば、Random Access Memoryなど）を設け、ユーザによって所定の操作が為された場合に、そのユーザによって書換えられた移調パラメータを、上記キーを表すパラメータやオクターブシフトを表すパラメータ毎に上記保持手段に保持されている移調パラメータで再度書換えさせるようにしても勿論良い。このようにすると、ユーザの所望に応じて上記移調パラメータを柔軟に設定することが可能になるといった効果を奏する。
また、上述した各実施形態では、プルダウンメニュを適宜ユーザに操作させることによって、調律対象の楽器を表す楽器識別子を選択させる場合について説明したが、例えば、調律対象の楽器の演奏音に基づいて、その楽器を自動認識させるようにしても勿論良い。具体的には、楽器識別子とその楽器識別子の表す楽器の演奏音の波形の特徴を表すパラメータとを対応付けて記憶手段１００に格納させておく。そして、入力手段１２０へ入力された演奏音の波形を分析してその特徴を抽出し、抽出された特徴と記憶手段１００の記憶内容とに基づいて上記演奏音を奏でた楽器を認識させるようにすれば良い。
【００５５】
（Ｄ−２：変形例２）
上述した各実施形態では、各楽器に好適なピッチ検出用パラメータや各楽器の移調を表す移調パラメータ、その楽器に好適な楽譜を表す楽譜パラメータを楽器の種類を表す楽器識別子に対応づけて記憶手段１００へ格納しておく場合について説明した。しかしながら、上記ピッチ検出用パラメータや移調パラメータ、楽譜パラメータの他に、対象音と演奏音とのピッチ差をメータ表示する際の表示態様を規定するメータ表示用パラメータを上記楽器識別子に対応付けて記憶手段１００に格納しておくとしても勿論良い。このようなメータ表示用パラメータの一例としては、ピッチ検出手段１３０におけるピッチの検出間隔、ピッチ有無判定部１３６において、連続して何回ピッチ無しと判定された場合にメータ表示においてピッチ無しと表示するかを規定するデータ、ピッチ検出手段１３０により検出されたピッチの履歴を平均化してメータ表示するか否か、また、その平均化の方法および平均化に利用する履歴の数、仮想メータの表示を更新する際に、その針位置の変化が滑らかに表示されるように補間を施すか否かやその補間の分割数などが挙げられる。例えば、低音楽器については、その演奏音の周期が長くなるため、ピッチの検出頻度が少なくなるので、上記針位置の変化が不連続になってしまう虞がある。このような低音楽器については、上記分割数を細かくして補間を行うことを示すメータ表示用パラメータを対応付けておくことによって、上記仮想メータの針位置の変化を滑らかにすることができる。
【００５６】
（Ｄ−３：変形例３）
上述した第１および第２実施形態では、所定の音律において演奏音の最寄に位置する音である対象音の音名をその記譜音での音名に変換して表示させる場合について説明した。しかしながら、係る変換を行うか否かをユーザに設定させ、係る変換を行わない旨の設定が為された場合には、上記対象音の実音での音名を表示させるようにしても勿論良い。また、上記対象音に対応する音符の表示位置についても移調を施すか否かをユーザに設定させ、その設定内容に応じた位置に表示させるとしても良い。このようにすると、対象音の音名については実音での音名を表示する一方、図２の領域２６０の五線譜上での音符の位置については記譜音での音名に対応した位置にするなど、ユーザの所望に応じて柔軟に表示態様を変更することが可能になるといった効果を奏する。また、第３実施形態についても、根音や対象音の音名として実音での音名と記譜音での音名との何れを表示するのかをユーザに設定させ、その設定内容に応じた態様で表示するよう変形しても良く、また、その音符位置についても移調を施すか否かを設定させ、その設定内容に応じた態様で表示するように変形しても良いことは勿論である。
【００５７】
（Ｄ−４：変形例４）
上述した各実施形態では、領域に表示する五線譜に記譜する音部記号を表す楽譜パラメータを楽器識別子に対応付けて記憶手段に書き込んでおく場合について説明した。これにより、調律対象の楽器の音域に適した音部記号が記譜された五線譜を表示させることが可能になるのであるが、音部記号として常にト音記号が記譜された五線譜を表示させるとしても良く、また、音部記号として常にヘ音記号が記譜された五線譜を表示させるようにしても良い。つまり、楽器の種別にはよらずに、常に固定の音部記号が記譜された五線譜を表示させるようにしても良い。
【００５８】
（Ｄ−５：変形例５）
上述した各実施形態では、調律対象の楽器により奏でられた演奏音と対象音のピッチ差をセント値に変換して仮想メータに表示させる場合について説明した。しかしながら、上記演奏音のピッチと対象音のピッチとを棒グラフで表示させるとしても良く、また、両者のピッチやその差を数値で表示させるとしても勿論良い。要は、演奏音と対象音とのピッチ差を判りやすく表示させる態様であれば、何れであっても良い。
【００５９】
（Ｄ−６：変形例６）
上述した各実施形態では、本発明に係るチューナに特有な機能を実現する各手段を用いて各本実施形態に係るチューナを構成する場合について説明した。しかしながら、例えば、ＣＰＵ（Central Processing Unit）などの制御部を、上記各手段として機能させるソフトウェアをコンピュータ装置にインストールし、そのソフトウェアにしたがって上記制御部を作動させることで、上記コンピュータ装置に上記実施形態に係るチューナと同一の機能を付与するとしても勿論良い。例えば、ＣＤ−ＲＯＭ（Compact Disk Read Only Memory）などのコンピュータ装置読取可能な記録媒体に上記ソフトウェアを記録して配布したり、例えばインターネットなどの電気通信回線を介して上記ソフトウェアを配布したりするようにすれば、一般的なコンピュータ装置に上記ソフトウェアをインストールし、そのコンピュータ装置を本発明に係るチューナとして機能させることが可能になる、といった効果を奏する。
【図面の簡単な説明】
【００６０】
【図１】本発明の第１実施形態に係るチューナ１０の構成例を示す図である。
【図２】同チューナ１０が表示装置３０に表示させるＧＵＩ画面の一例を示す図である。
【図３】同チューナ１０のピッチ検出手段１３０の構成例を示すブロック図である。
【図４】同チューナ１０が行うパラメータ設定動作の流れを示すフローチャートである。
【図５】同チューナ１０が表示装置３０に表示させるＧＵＩ画面の一例を示す図である。
【図６】同チューナ１０が行う調律支援動作の流れを示すフローチャートである。
【図７】同チューナ１０が表示装置３０に表示されるＧＵＩ画面の一例を示す図である。
【図８】キーの変換を行わない場合の不具合を説明するための図である。
【図９】オクターブシフトを行わない場合の不具合を説明するための図である。
【図１０】本発明の第２実施形態に係るチューナ４０の構成例を示す図である。
【図１１】同チューナ４０が行う調律支援動作の流れを示すフローチャートである。
【図１２】本発明の第３実施形態に係るチューナ５０の構成例を示す図である。
【図１３】同チューナ５０が表示装置３０に表示させるＧＵＩ画面の一例を示す図である。
【図１４】同チューナ５０が表示装置３０に表示させる別の態様のＧＵＩ画面を示す図である。
【図１５】同チューナ５０が行うハーモニー練習支援動作の流れを示すフローチャートである。
【図１６】同チューナ５０が表示装置３０に表示されるＧＵＩ画面の一例を示す図である。
【図１７】同チューナ５０が表示装置３０に表示されるＧＵＩ画面の一例を示す図である。
【図１８】同チューナ５０が表示装置３０に表示されるＧＵＩ画面の一例を示す図である。
【図１９】同チューナ５０が表示装置３０に表示されるＧＵＩ画面の一例を示す図である。
【図２０】従来のハーモニー練習用チューナの不具合を説明するための図である。
【符号の説明】
【００６１】
１０、４０、５０…チューナ、２０…マイクロホン、３０…表示装置、１００…記憶手段、１１０…設定手段、１２０…入力手段、１３０…ピッチ検出手段、１３１…バッファ入力部、１３２…ピッチ検出前処理部、１３２ａ…ＢＰＦ、１３２ｂ…ＬＰＦ、１３３…振幅エンベロープ検出部、１３４…ブレスノイズ検出前処理部、１３５…ブレスノイズ検出部、１３６…ピッチ有無判定部、１３７…ピッチ検出部、１４０…対象音特定手段、１５０…算出手段、１６０、１９０…表示制御手段、１７０…判定手段、１８０…音程関係特定手段。
【図１】
2006047503.tif 000003
【図２】
2006047503.tif 000004
【図３】
2006047503.tif 000005
【図４】
2006047503.tif 000006
【図５】
2006047503.tif 000007
【図６】
2006047503.tif 000008
【図７】
2006047503.tif 000009
【図８】
2006047503.tif 000010
【図９】
2006047503.tif 000011
【図１０】
2006047503.tif 000012
【図１１】
2006047503.tif 000013
【図１２】
2006047503.tif 000014
【図１３】
2006047503.tif 000015
【図１４】
2006047503.tif 000016
【図１５】
2006047503.tif 000017
【図１６】
2006047503.tif 000018
【図１７】
2006047503.tif 000019
【図１８】
2006047503.tif 000020
【図１９】
2006047503.tif 000021
【図２０】
2006047503.tif 000022